(57)【要約】【課題】吸収式ヒートポンプ装置により得られる冷熱を効果的に利用して、さらなる省エネルギー性の向上を図ること。【解決手段】エンジン４にて圧縮機２４が駆動される圧縮式ヒートポンプ装置２と、エンジン４の排熱を再生器３４の熱源として駆動する吸収式ヒートポンプ装置３と、圧縮式ヒートポンプ装置２により得られた冷熱を用いて室内の空調を行う室内機２２と、吸収式ヒートポンプ装置３により得られた冷熱を用いて外気を空調処理する外調機６０とが備えられている。【選択図】図１
2019184161.tif 000002
【特許請求の範囲】
【請求項１】
エンジンにて圧縮機が駆動される圧縮式ヒートポンプ装置と、
前記エンジンの排熱を再生器の熱源として駆動する吸収式ヒートポンプ装置と、
前記圧縮式ヒートポンプ装置により得られた冷熱を用いて室内の空調を行う室内機と、
前記吸収式ヒートポンプ装置により得られた冷熱を用いて外気を空調処理する外調機とが備えられている空調システム。
【請求項２】
前記外調機は、前記吸収式ヒートポンプ装置により得られた冷熱に加えて、前記圧縮式ヒートポンプ装置により得られた温熱を用いて外気を空調処理している請求項１に記載の空調システム。
【請求項３】
前記外調機は、給気路にて室内に給気される外気の水分を吸着し、排気路にて室外に排気される空気へ水分を放出する除湿部と、前記吸収式ヒートポンプ装置により得られた冷熱を用いて、前記給気路にて室内に給気される外気を冷却する冷却部と、前記圧縮式ヒートポンプ装置により得られた温熱を用いて、前記排気路にて前記除湿部に供給される前の空気を加熱する加熱部とが備えられている請求項２に記載の空調システム。
【請求項４】
前記外調機は、前記吸収式ヒートポンプ装置により得られた冷熱を用いて外気を冷却除湿する冷却除湿部と、前記圧縮式ヒートポンプ装置により得られた温熱を用いて冷却除湿部にて冷却除湿された外気を再熱する再熱部とが備えられている請求項２に記載の空調システム。
【発明の詳細な説明】
【技術分野】
【０００１】
本発明は、圧縮式ヒートポンプ装置と吸収式ヒートポンプ装置とを備えた空調システムに関する。
【背景技術】
【０００２】
上記のような空調システムでは、圧縮式ヒートポンプ装置の圧縮機を駆動させるエンジンが備えられ、吸収式ヒートポンプ装置が、エンジンの排熱を再生器の熱源として駆動するように構成されている（例えば、特許文献１、２参照。）。このように、圧縮式ヒートポンプ装置の圧縮機を駆動させるためのエンジンの排熱を利用して、吸収式ヒートポンプ装置を駆動させることで、省エネルギー化を図るようにしている。
【０００３】
特許文献１、２に記載のシステムでは、圧縮式ヒートポンプ装置により冷熱を取得することができるので、その冷熱を室内熱交換器にて利用することで、室内の冷房等の空調を行うようにしている。圧縮式ヒートポンプ装置だけでなく、吸収式ヒートポンプ装置においても冷熱を取得できることから、特許文献２に記載のシステムでは、圧縮式ヒートポンプ装置の室内熱交換器とは別の室内熱交換器を備え、吸収式ヒートポンプ装置により得られた冷熱を別の室内熱交換器にて利用することで、別の室内熱交換器を用いた空調も行えるようにしている。
【先行技術文献】
【特許文献】
【０００４】
【特許文献１】特開昭６０−２３２４６６号公報
【特許文献２】特開平１１−０１４１８５号公報
【発明の概要】
【発明が解決しようとする課題】
【０００５】
しかしながら、特許文献２に記載のシステムでは、別の室内熱交換器にてどのような空調を行うのかが記載されておらず、吸収式ヒートポンプ装置により得られる冷熱をどのように利用しているかが分からない。この空調システムでは、省エネルギー性の向上が求められていることから、吸収式ヒートポンプ装置により得られる冷熱を効果的に利用することで、さらなる省エネルギー性の向上を図ることが望まれている。
【０００６】
この実情に鑑み、本発明の主たる課題は、吸収式ヒートポンプ装置により得られる冷熱を効果的に利用して、さらなる省エネルギー性の向上を図ることができる空調システムを提供する点にある。
【課題を解決するための手段】
【０００７】
本発明の第１特徴構成は、エンジンにて圧縮機が駆動される圧縮式ヒートポンプ装置と、
前記エンジンの排熱を再生器の熱源として駆動する吸収式ヒートポンプ装置と、
前記圧縮式ヒートポンプ装置により得られた冷熱を用いて室内の空調を行う室内機と、
前記吸収式ヒートポンプ装置により得られた冷熱を用いて外気を空調処理する外調機とが備えられている点にある。
【０００８】
本構成によれば、室内機での空調を行うために、エンジンにて圧縮機を駆動させると、エンジンから排熱が発生する。このとき、空調対象空間である室内の負荷（以下、室内負荷と称する）が小さくても、エンジンの排熱量は大きなものとなる。よって、大きな排熱量を再生器の熱源として利用しながら、吸収式ヒートポンプ装置を駆動させることができるので、吸収式ヒートポンプ装置により得られる冷熱量を大きくすることができる。その結果、外調機では、大きな冷熱量を用いて外気を空調処理して空調を行うことができる。
【０００９】
外調機の空調処理では、例えば、外気の潜熱処理を行ったり、室内（空調対象空間）の換気のために、一定量以上の外気導入量を確保することが求められている。よって、外調機にて空調を行う際に、外気負荷は比較的大きなものとなっている。そこで、本構成によれば、エンジンの大きな排熱量を用いて吸収式ヒートポンプ装置を駆動させ、吸収式ヒートポンプ装置により得られる冷熱量を大きくしているので、外調機では、大きな冷熱量を用いて外気の空調処理を行うことができ、比較的大きな外気負荷を適切に賄うことができる。また、室内負荷についても、室内機での空調により室内負荷を賄うことができる。
【００１０】
このようにして、圧縮式ヒートポンプ装置の室内機での空調により、室内負荷を賄いながら、吸収式ヒートポンプ装置により得られる冷熱を、比較的負荷が大きな外気負荷を賄うために効果的に利用することができ、更なる省エネルギー性の向上を図ることができる。
【００１１】
本発明の第２特徴構成は、前記外調機は、前記吸収式ヒートポンプ装置により得られた冷熱に加えて、前記圧縮式ヒートポンプ装置により得られた温熱を用いて外気を空調処理している点にある。
【００１２】
本構成によれば、外調機は、吸収式ヒートポンプ装置により得られた冷熱だけでなく、圧縮式ヒートポンプ装置により得られる温熱を用いて、外気を空調処理することができるので、さらなる省エネ性の向上を図ることができる。
【００１３】
本発明の第３特徴構成は、前記外調機は、給気路にて室内に給気される外気の水分を吸着し、排気路にて室外に排気される空気へ水分を放出する除湿部と、前記吸収式ヒートポンプ装置により得られた冷熱を用いて、前記給気路にて室内に給気される外気を冷却する冷却部と、前記圧縮式ヒートポンプ装置により得られた温熱を用いて、前記排気路にて前記除湿部に供給される前の空気を加熱する加熱部とが備えられている点にある。
【００１４】
本構成によれば、外調機は、冷却部にて外気を冷却しながら、除湿部にて外気を除湿することができるので、外気の除湿を効率よく行うことができながら、室内（空調対象空間）の除湿を適切に行うことができる。しかも、冷却部は、吸収式ヒートポンプ装置により得られた冷熱を用いて外気を冷却しており、更に、加熱部は、圧縮式ヒートポンプ装置により得られた温熱を用いて、排気路にて除湿部に供給される前の空気を加熱しているので、さらなる省エネ性の向上を図りながら、外気の冷却だけでなく、除湿部（例えば、デシカントロータ）の再生を行うことができる。
【００１５】
本発明の第４特徴構成は、前記外調機は、前記吸収式ヒートポンプ装置により得られた冷熱を用いて外気を冷却除湿する冷却除湿部と、前記圧縮式ヒートポンプ装置により得られた温熱を用いて冷却除湿部にて冷却除湿された外気を再熱する再熱部とが備えられている点にある。
【００１６】
本構成によれば、外調機は、冷却除湿部にて外気を冷却除湿しながら、冷却除湿された外気を再熱部にて再熱することができるので、室内（空調対象空間）の温湿度が目標状態となるように、室内（空調対象空間）の除湿を適切に行うことができる。しかも、冷却除湿部は、吸収式ヒートポンプ装置により得られた冷熱を用いて外気を冷却除湿しており、更に、再熱部は、圧縮式ヒートポンプ装置により得られた温熱を用いて外気を再熱しているので、さらなる省エネ性の向上を図りながら、外気の冷却除湿及び再熱を行うことができる。
【図面の簡単な説明】
【００１７】
【図１】空調システムの概略構成を示す図
【図２】空調システムの概略構成を示す図
【図３】空調システムの概略構成を示す図
【発明を実施するための形態】
【００１８】
本発明に係る空調システムの実施形態を図面に基づいて説明する。
空調システム１は、図１に示すように、圧縮式ヒートポンプ装置２と吸収式ヒートポンプ装置３とが備えられている。圧縮式ヒートポンプ装置２は、エンジン４の軸出力を圧縮機２４の動力源として利用しており、エンジン４にて圧縮機２４が駆動されるように構成されている。吸収式ヒートポンプ装置３は、エンジン４の排熱を再生器３４の熱源として利用しており、エンジン４の排熱にて再生器３４での再生が行われるように構成されている。また、空調システム１には、図示は省略するが、圧縮式ヒートポンプ装置２及び吸収式ヒートポンプ装置３等の運転を制御して空調システム１の運転を制御する運転制御部が備えられている。
【００１９】
圧縮式ヒートポンプ装置２は、圧縮機２４、室外熱交換器２５、膨張弁２６、室内熱交換器２７、及び、これらの機器を繋ぐ冷媒回路２３が備えられている。圧縮機２４には、エンジン４の軸出力が伝達されており、圧縮機２４は、エンジン４の軸出力により冷媒を圧縮するように構成されている。室外機２１には、圧縮機２４、室外熱交換器２５が備えられ、室内（空調対象空間）の空調を行う室内機２２には、膨張弁２６、室内熱交換器２７が備えられている。図１では、室内機２２を１つ備えた例を示しているが、例えば、室内機２２を並列状態で複数備えることもできる。
【００２０】
圧縮式ヒートポンプ装置２では、圧縮機２４を駆動させることで、冷媒回路２３を通して冷媒を通流させて、室外熱交換器２５を凝縮器として作用させ、室内熱交換器２７を蒸発器として作用させるように構成されている。室内熱交換器２７は、蒸発器として作用されるので、室内熱交換器２７にて冷熱を取得することができる。そこで、図示は省略するが、室内熱交換器２７と室内（空調対象空間）との間で空気を循環させる空気循環部が備えられている。これにより、室内機２２では、室内の空気を室内熱交換器２７にて冷却（空調処理）し、冷却後の空気を室内に供給して、室内（空調対象空間）の冷房（空調）を行うようにしている。
【００２１】
ちなみに、圧縮式ヒートポンプ装置２の冷媒回路２３には、図外の四方弁等により冷媒の通流状態を切り換えることで、冷媒回路２３において、室外熱交換器２５を蒸発器として作用させ、室内熱交換器２７を凝縮器として作用させるように冷媒を通流させることができる。この場合には、室内の空気を室内熱交換器２７にて加熱（空調処理）し、加熱後の空気を室内に供給して、室内（空調対象空間）の暖房（空調）を行うこともできる。
【００２２】
エンジン４には、エンジン４の冷却水を循環させる冷却水循環回路４１が備えられている。冷却水循環回路４１には、第１排熱熱交換器４２、ラジエータ４３、冷却水循環ポンプ４４が備えられている。冷却水循環回路４１は、エンジン４の排熱を有する冷却水が、第１排熱熱交換器４２、ラジエータ４３の順に通流した後、エンジン４に戻るように構成されている。これにより、冷却水は、エンジン４の排熱を有しており、第１排熱熱交換器４２において冷却水にて熱媒体を加熱して、エンジン４の排熱を熱媒体に伝熱している。
【００２３】
図示は省略するが、冷却水循環回路４１において、エンジン４からの排ガスと第１排熱熱交換器４２に通流する前の冷却水とを熱交換させる排ガス熱交換器を備えることもできる。この場合には、冷却水が排ガス熱交換器を通過することで、冷却水が有する排熱に加えて、エンジン４の排ガスが有する排熱も第１排熱熱交換器４２において熱媒体に伝熱することができる。
【００２４】
空調システム１には、第１排熱熱交換器４２と第２排熱熱交換器４６との間で熱媒体を循環させて、エンジン４の排熱を回収する排熱回収回路４５が備えられている。第２排熱熱交換器４６は、熱媒体と吸収器３３から再生器３４に供給される途中の吸収液とを熱交換させるように構成されている。排熱回収回路４５には、第１排熱熱交換器４２、第２排熱熱交換器４６、排熱回収ポンプ４７が備えられている。排熱回収回路４５では、第１排熱熱交換器４２において冷却水にて熱媒体を加熱してエンジン４の排熱を回収し、第２排熱熱交換器４６において熱媒体にて吸収液を加熱して、回収したエンジン４の排熱にて吸収器３３から再生器３４に供給される途中の吸収液を加熱している。
【００２５】
吸収式ヒートポンプ装置３は、凝縮器３１、蒸発器３２、吸収器３３、再生器３４を備えており、第２排熱熱交換器４６での熱交換によりエンジン４の排熱を再生器３４の熱源として利用している。吸収器３３と再生器３４とは第１連通路５１及び第２連通路５２にて連通接続され、再生器３４と凝縮器３１とは第３連通路５３にて連通接続されている。凝縮器３１と蒸発器３２とは第４連通路５４にて連通接続され、蒸発器３２と吸収器３３とは第５連通路５５にて連通接続されている。
【００２６】
吸収器３３は、蒸発器３２から第５連通路５５を通して供給される水蒸気（冷媒）を吸収液にて吸収するように構成されている。吸収器３３にて蒸発冷媒（水蒸気）を吸収した吸収液は、第１連通路５１を通して再生器３４に供給される。第１連通路５１には、吸収液供給ポンプ５６、第２排熱熱交換器４６が備えられている。ちなみに、図示は省略するが、第１連通路５１を通流する吸収液と第２連通路５２を通流する吸収液とを熱交換させる液々熱交換器を備えることができる。この液々熱交換器は、第１連通路５１を通して吸収器３３から第２排熱熱交換器４６に供給される前の吸収液と、第２連通路５２を通して再生器３４から吸収器３３に戻される途中の吸収液とを熱交換させるように構成することができる。
【００２７】
再生器３４は、第２排熱熱交換器４６において熱媒体にて加熱された吸収液が供給されるので、その吸収液から冷媒を蒸発させて、吸収液から水蒸気（冷媒）を分離して再生させるように構成されている。分離された水蒸気（冷媒）は、第３連通路５３を通して凝縮器３１に供給され、水蒸気（冷媒）が分離された吸収液は、第２連通路５２を通して吸収器３３に戻されている。再生器３４には、バーナの燃焼ガス等の加熱流体が供給される加熱部３５が備えられ、第２排熱熱交換器４６に加えて、加熱部３５にて吸収液を加熱できるようにしている。これにより、第２排熱熱交換器４６による加熱だけでは、吸収液を再生させるための加熱量に不足する場合には、加熱部３５による加熱を加えることで、その不足分を補うことができ、再生器３４での再生を適切に行うことができる。
【００２８】
凝縮器３１は、冷却塔等から冷却水が循環供給される冷却部３６が備えられ、第３連通路５３を通して供給される水蒸気（冷媒）を冷却部３６にて冷却して凝縮させるように構成されている。凝縮器３１にて凝縮された水（冷媒）は、第４連通路５４を通して蒸発器３２に供給される。
【００２９】
蒸発器３２は、熱媒体が循環供給される伝熱部３７が備えられ、第４連通路５４を通して供給される水（冷媒）を伝熱部３７に供給して蒸発させるように構成されている。蒸発された水蒸気（冷媒）は、第５連通路５５を通して吸収器３３に供給される。
【００３０】
空調システム１には、伝熱部３７と外調機６０との間で熱媒体を循環させて、吸収式ヒートポンプ装置３により得られる冷熱を取り出す冷熱取出回路３８が備えられている。冷熱取出回路３８には、冷熱取出ポンプ３９が備えられている。伝熱部３７において熱媒体が冷却されるので、冷熱取出回路３８にて冷却された熱媒体を外調機６０に供給している。外調機６０は、冷熱取出回路３８にて供給される熱媒体が有する冷熱を用いて外気を空調処理し、その空調処理後の外気を室内（空調対象空間）に供給して空調を行うように構成されている。外調機６０による空調としては、例えば、外気の除湿等の潜熱処理を行い、潜熱処理後の外気を室内に供給するようにしている。よって、室内を空調するに当たり、室内機２２の室内熱交換器２７にて顕熱処理を行うことができ、外調機６０にて潜熱処理を行うことができるので、潜熱と顕熱とを分離して効率よく処理しながら、室内の温湿度等を所望状態とする適切な空調を行うことができる。
【００３１】
空調システム１は、エンジン４にて駆動される圧縮式ヒートポンプ装置２により得られた冷熱を用いて、室内機２２の室内熱交換器２７にて室内の空気を冷却（顕熱処理）して、冷房等の空調を行うことができる。空調システム１は、排熱回収回路４５にてエンジン４の排熱を回収し、第２排熱熱交換器４６において回収した排熱にて再生器３４に供給する吸収液を加熱することで、エンジン４の排熱を再生器３４の熱源として吸収式ヒートポンプ装置３を駆動させている。よって、エンジン４の排熱を有効に活用して吸収式ヒートポンプ装置３を駆動させることができ、省エネルギー化を図ることができる。外調機６０は、吸収式ヒートポンプ装置３により得られた冷熱を用いて外気を除湿等の空調処理し、空調処理後の外気を室内に供給して空調を行うことができる。
【００３２】
圧縮式ヒートポンプ装置２では、エンジン４を駆動させることで、エンジン４からある程度の排熱が発生するので、室内負荷が小さくても、エンジン４からの排熱量は大きなものとなっている。これにより、大きな排熱量を用いて吸収式ヒートポンプ装置３を駆動させることができるので、吸収式ヒートポンプ装置３により得られる冷熱量を大きくすることができる。よって、外調機６０は、大きな冷熱量を用いて外気を空調処理して空調を行うことができる。
【００３３】
圧縮式ヒートポンプ装置２の室内機２２では、室内の顕熱処理を行うことで、空調を行っている。この室内機２２による空調では、室内に存在する人の人数や機器からの発熱量等によって、室内負荷の大きさが変化する。一方、外調機６０では、外気の除湿等の潜熱処理を行うことで、室内の空調を行っている。この外調機６０による空調では、外気温湿度等により外気負荷の大きさが変化するものの、潜熱処理を行うことから、外気負荷としてはある程度大きなものとなる。また、室内の換気のためには、外気導入量として一定量以上を確保することが求められるので、この点からも外気負荷は大きなものとなる。よって、外気負荷は、常時、比較的大きなものとなっている。
【００３４】
そこで、上述の如く、空調システム１では、エンジン４の大きな排熱量を用いて吸収式ヒートポンプ装置３を駆動させ、吸収式ヒートポンプ装置３により得られる冷熱量を大きくしている。これにより、外調機６０は、大きな冷熱量を用いて外気を空調処理することができ、外気負荷が大きな場合でも、その外気負荷を適切に賄うことができる。また、室内負荷については、圧縮式ヒートポンプ装置２が、室内負荷の大きさに応じて、エンジン４の回転速度等を制御することで、圧縮式ヒートポンプ装置２の室内機２２での空調によって室内負荷を賄うことができる。このようにして、室内負荷を適切に賄うことができながら、エンジン４の排熱を熱源として駆動される吸収式ヒートポンプ装置３により得られる冷熱を、比較的大きな負荷である外気負荷を賄うために利用することができ、更なる省エネルギー性の向上を図ることができる。また、例えば、室内に存在する人の人数が少ない又は機器からの発熱量が小さい場合等には、比較的大きな外気負荷を適切に賄うことで、室内負荷をより小さくすることも可能であり、それだけ室内負荷を賄うための消費エネルギーの低減を図ることができ、エネルギー効率の面からも有用なものとなる。
【００３５】
外調機６０は、冷熱取出回路３８にて供給される熱媒体が有する冷熱を用いて外気を空調処理し、その空調処理後の外気を空調対象空間（室内）に供給するように構成されている。そこで、以下、外調機６０の構成については、図２と図３の２つの構成について説明する。
【００３６】
まず、図２に示す外調機６０の構成について説明する。
図２に示すように、外調機６０は、給気路６１、排気路６２、及び、デシカントロータ６３（除湿部に相当する）を備えており、空調対象空間の換気及び除湿を行うように構成されている。外調機６０は、図示は省略するが、給気路６１を通して室外の外気を室内（空調対象空間）内に供給するための給気ファン、及び、排気路６２を通して室内（空調対象空間）内の空気を室外に排気するための排気ファン等が備えられている。
【００３７】
給気路６１は、室外の外気を室内に供給する流路にて構成されており、排気路６２は、室内の空気を室外に排気する流路にて構成されている。給気路６１と排気路６２とは隣接して備えられており、デシカントロータ６３は、図外の駆動部により回転駆動することで、給気路６１と排気路６２を交互に通過するように配置されている。デシカントロータ６３は、例えば、高分子吸着剤や、ゼオライト、シリカゲル等の吸着材を備えており、給気路６１における外気の水分を吸着し、排気路６２にて排気される空気へ水分を放出するように構成されている。
【００３８】
給気路６１には、給気路６１にて室内に供給される外気を冷却する第１熱交換部６４及び第２熱交換部６５（冷却部に相当する）が備えられている。第１熱交換部６４及び第２熱交換部６５は、冷熱取出回路３８にて冷熱を有する熱媒体の供給を受けて、その熱媒体にて室内に供給される外気を冷却するように構成されている。第１熱交換部６４は、給気路６１において外気の通流方向でデシカントロータ６３よりも上流側に配置されており、第２熱交換部６５は、給気路６１において外気の通流方向でデシカントロータ６３よりも下流側に配置されている。第１熱交換部６４では、デシカントロータ６３に供給される前の外気を予冷却することができ、デシカントロータ６３での除湿を適切に行うことができる。第２熱交換部６５では、除湿後の外気を冷却することで、デシカントロータ６３での除湿による吸着熱にて温度上昇した分を除去することができ、所望の温湿度状態の外気を室内に供給することができる。このようにして、外調機６０は、吸収式ヒートポンプ装置３により得られた冷熱を用いて、外気の除湿等の潜熱処理を行うことができ、室内の除湿を行うことができる。
【００３９】
第１熱交換部６４及び第２熱交換部６５は、冷熱取出回路３８において、並列状態で備えられているが、例えば、第１熱交換部６４、第２熱交換部６５の順に直列状態で備えることもできる。また、第１熱交換部６４及び第２熱交換部６５の両方を備えた例を示したが、例えば、第１熱交換部６４のみ、又は、第２熱交換部６５のみを備えることもできる。
【００４０】
排気路６２には、デシカントロータ６３に供給される前の空気を加熱する第３熱交換部６６（加熱部に相当する）が備えられている。第３熱交換部６６は、温熱取出回路２８にて温熱を有する熱媒体の供給を受けて、その熱媒体にてデシカントロータ６３に供給される前の空気を加熱するように構成されている。よって、デシカントロータ６３に供給される前の空気を加熱して、デシカントロータ６３の再生を適切に行うことができる。
【００４１】
空調システム１は、第４熱交換部６７と第３熱交換部６６との間で熱媒体を循環させて、圧縮式ヒートポンプ装置２により得られる温熱を取り出す温熱取出回路２８が備えられている。温熱取出回路２８には、第４熱交換部６７及び第３熱交換部６６に加えて、温熱取出ポンプ２９が備えられている。第４熱交換部６７は、圧縮式ヒートポンプ装置２の冷媒回路２３において、室外熱交換器２５と膨張弁２６との間に配置されている。第４熱交換部６７は、冷媒回路２３の冷媒が通流することで、冷媒にて温熱取出回路２８の熱媒体を加熱して、冷媒を凝縮させる凝縮器として作用するように構成されている。
【００４２】
このようにして、温熱取出回路２８は、第４熱交換部６７の熱交換により圧縮式ヒートポンプ装置２により得られた温熱を取り出すことができ、第３熱交換部６６の熱交換により取り出した温熱にてデシカントロータ６３に供給される前の空気を加熱して、デシカントロータ６３の再生を行うことができる。よって、外調機６０は、吸収式ヒートポンプ装置３により得られた冷熱を用いて、外気の除湿を行うだけでなく、圧縮式ヒートポンプ装置２により得られた温熱を用いて、デシカントロータ６３の再生を行うようにしている。
【００４３】
次に、図３に示す外調機６０の構成について説明する。
図２と共通する部分については、同一符号を記すことで説明を省略する。
図３に示すように、外調機６０は、供給される熱媒体と外気とを熱交換させて外気を冷却除湿する冷却除湿部６８と、冷却除湿部６８にて冷却除湿された後の外気を再熱可能な再熱部６９と、外気を導入して冷却除湿部６８及び再熱部６９を通過させ、通過後の外気を空調対象空間に供給するためのファン７０とが備えられている。
【００４４】
外調機６０は、冷却除湿部６８にて外気を冷却除湿し、冷却除湿後の外気の温度が目標状態から外れていると、冷却除湿された外気を再熱部６９にて再熱するようにしている。これにより、室内（空調対象空間）の温湿度が目標状態となるように、室内（空調対象空間）の除湿を適切に行うことができる。
【００４５】
冷却除湿部６８は、冷熱取出回路３８にて冷熱を有する熱媒体の供給を受けて、その熱媒体にて外気を冷却除湿するように構成されている。再熱部６９は、温熱取出回路２８にて温熱を有する熱媒体の供給を受けて、その熱媒体にて冷却除湿された後の外気を再熱するように構成されている。このようにして、外調機６０は、吸収式ヒートポンプ装置３により得られた冷熱を用いて、外気の冷却除湿を行うだけでなく、圧縮式ヒートポンプ装置２により得られた温熱を用いて、冷却除湿された外気の再熱を行い、更なる省エネルギー性の向上を図ることができる。
【００４６】
〔別実施形態〕
本発明の他の実施形態について説明する。尚、以下に説明する各実施形態の構成は、それぞれ単独で適用することに限らず、他の実施形態の構成と組み合わせて適用することも可能である。
【００４７】
（１）上記実施形態では、外調機６０として、図２及び図３に示す構成を例示したが、吸収式ヒートポンプ装置３により得られた冷熱を用いて、外気を空調処理する空調処理部を有するものであればよく、各種の構成を適用することができる。
【００４８】
例えば、外調機６０は、吸収式ヒートポンプ装置３により得られた冷熱を用いて、外気を冷却する外気冷却部を備え、外気冷却部にて冷却後の外気を室内に供給して、外気を用いた冷房を行うことができる。
【００４９】
（２）上記実施形態において、吸収式ヒートポンプ装置３の構成として、図１〜図３を例示しているが、この構成に限らず、他の構成を適用することもできる。
【符号の説明】
【００５０】
１          空調システム
２          圧縮式ヒートポンプ装置
３          吸収式ヒートポンプ装置
４          エンジン
２２        室内機
２４        圧縮機
３４        再生器
６０        外調機
６３        デシカントロータ（除湿部）
６４        第１熱交換部（冷却部）
６５        第２熱交換部（冷却部）
６６        第３熱交換部（加熱部）
６８        冷却除湿部
６９        再熱部
【図１】
2019184161.tif 000003
【図２】
2019184161.tif 000004
【図３】
2019184161.tif 000005